(57)【特許請求の範囲】
【請求項１】
送風機を有する基部と、
該基部に設けられ、前記送風機から送られた空気が充填されて内圧が上昇することにより、前記基部から上方に向かって筒状に伸長し、前記送風機の送風停止による内圧の低下により収縮する伸縮部と、
該伸縮部に開口形成されて、前記伸縮部が伸長した伸長状態における前記伸縮部の上下に亘って配置されて、前記伸縮部内の空気を吹き出す吹出部と、
を有することを特徴とする送風装置。
【請求項２】
前記伸縮部は、
それぞれ外径の異なる複数の筒状体が組み合わされてなり、
前記筒状体は、
前記伸縮部が収縮した収縮状態では順次径の小さな筒状体が径の大きい筒状体の内側に装填された状態となり、
前記伸長状態ではそれぞれ内側の筒状体の下端部が直近外側の筒状体の上端部に係止され、最外側の筒状体の下端部が前記基部の上端部に係止された状態となることを特徴とする請求項１に記載の送風装置。
【請求項３】
各筒状体は、
前記係止状態となっている内側の筒状体の下端部と外側の筒状体の上端部とが全周に亘って密着した状態となるように構成されたことを特徴とする請求項２に記載の送風装置。
【請求項４】
前記伸縮部は、
内圧の上昇によって膨らみ前記基部から上方に向かって筒状に伸長する袋体によって形成されたことを特徴とする請求項１に記載の送風装置。
【請求項５】
前記吹出部は、
前記伸縮部に上下に所定間隔をおいて開口する複数の孔部によって形成されたことを特徴とする請求項１〜４のいずれか１項に記載の送風装置。
【請求項６】
前記吹出部は、
前記伸縮部に上下に亘って開口する長孔部によって形成されたことを特徴とする請求項１〜４のいずれか１項に記載の送風装置。
【請求項７】
前記基部は、
上下に筒状に延在し、内部に前記送風機が取り付けられる筐体と、
該筐体の底部に設けられ、前記送風機の駆動によって前記基部内に発生する負圧を導入することにより床面に吸着され、前記筐体を前記床面に固定する固定手段とを有することを特徴とする請求項１〜６のいずれか１項に記載の送風装置。
【請求項８】
前記基部は、
前記伸縮部に供給される空気を加熱する加熱手段を有することを特徴とする請求項１〜７のいずれか１項に記載の送風装置。
【発明の詳細な説明】
【技術分野】
【０００１】
本発明は、送風装置に関し、特に身体に空気を吹き付けて身体を冷却或いは乾燥させる送風装置に関する。
【背景技術】
【０００２】
従来より、風呂場の脱衣場で入浴後の身体を冷やしたり、乾燥させるために、扇風機が使用されている。一般的な扇風機は、モータの回転軸に取り付けられたファンをモータの駆動により回転させて、モータの回転軸が延在する方向と同一の方向に向かって風を送る構造を有しており、送風の高さ位置及び範囲がファンの高さ位置及び大きさに応じて決定される。
【０００３】
従って、例えば一般住宅の脱衣場のような狭い場所で扇風機を使用した場合には、身体と扇風機との距離が短く、身体の一部のみに風が当たり、身体の長手方向に亘って同時に風を当てることは困難であった。従って、全身を冷やしたり、乾燥させるのに長時間を要していた。
【０００４】
そこで、風呂場の脱衣場において全身に風を当てて乾燥させるボディドライヤが提案されている（例えば、特許文献１を参照）。このボディドライヤは、身体の上下に亘る大きさの筐体が脱衣場に設置されており、その筐体の正面に吹出孔が上下に延在するように設けられている。そして、筐体内の送風機を駆動することによって吹出口から温風を吹き出させ、身体の長手方向に亘って同時に当てて乾燥させる構成を有している。
【０００５】
【特許文献１】特開２００１−４６２７７号公報
【発明の開示】
【発明が解決しようとする課題】
【０００６】
しかしながら、上記構成を有する従来のボディドライヤは、身体の上下に亘る大きさの筐体を有することから、大きな設置スペースを要する。従って、設置場所が広い場合に限定されてしまい、例えば一般住宅の脱衣場のような狭い場所に設置することは困難であった。
【０００７】
また、身体の上下に亘る大きさの筐体は、未使用時には邪魔になり、簡単に移動させることもできなかった。また、ボディドライヤを設置する際に、複数人で運ぶ必要があり、設置工事の費用が嵩むという問題を有していた。
【０００８】
このような問題は、身体の長手方向に亘って同時に空気を吹き付けるボディドライヤの場合に限定されず、対象物に対して所定の高さ範囲に亘って同時に空気を吹き付けることが要求される一般的な送風装置にも存在する。
【０００９】
本発明は、これらの問題に鑑みてなされたものであり、その目的は、対象物に対して所定の高さ範囲に亘って同時に空気を吹き付けることができる小型の送風装置を提供することにある。
【課題を解決するための手段】
【００１０】
上記課題を解決する請求項１に記載の発明による送風装置は、送風機を有する基部と、基部に設けられ、送風機から送られた空気が充填されて内圧が上昇することにより、基部から上方に向かって筒状に伸長し、送風機の送風停止による内圧の低下により収縮する伸縮部と、伸縮部に開口形成されて、伸縮部が伸長した伸長状態における伸縮部の上下に亘って配置されて、伸縮部内の空気を吹き出す吹出部とを有することを特徴とする。
【００１１】
請求項１に記載した送風装置の発明によれば、送風機の送風によって伸縮部を伸長させて、吹出部から伸縮部の上下に亘って空気を吹き出させることができ、対象物に対して所定の高さ範囲に亘って同時に空気を吹き付けることができる。
【００１２】
従って、例えば、送風装置の側方位置に立つ利用者に対して、身体の長手方向に亘って同時に風を当てることができ、身体を効率的に冷却或いは乾燥させることができる。
【００１３】
そして、送風機の送風停止によって伸縮部を収縮させることができ、未使用時に装置全体の大きさを小型化でき、邪魔にならない。また、比較的狭い場所にも設置でき、簡単に移動させることができる。
【００１４】
請求項２に記載の発明は、請求項１に記載の送風装置において、伸縮部は、それぞれ外径の異なる複数の筒状体が組み合わされてなり、筒状体は、伸縮部が収縮した収縮状態では順次径の小さな筒状体が径の大きい筒状体の内側に装填された状態となり、伸長状態ではそれぞれ内側の筒状体の下端部が直近外側の筒状体の上端部に係止され、最外側の筒状体の下端部が基部の上端部に係止された状態となることを特徴とする。
【００１５】
請求項２に記載した発明は、伸縮部の具体的な構成の一例を示したものであり、これによれば、伸縮部を基部から上方に向かって筒状に伸長させ、また、下方に収縮させることができる。
【００１６】
請求項３に記載の発明は、請求項２に記載の送風装置において、各筒状体は、係止状態となっている内側の筒状体の下端部と外側の筒状体の上端部とが全周に亘って密着した状態となるように構成されたことを特徴とする。
【００１７】
請求項３に記載した発明によれば、送風機から筒状体の内方に送られた空気が、内側の筒状体の下端部と外側の筒状体の上端部との間から漏れるのを防止することができる。従って、伸縮部を確実に伸長させることができ、また、吹出部から伸縮部内の空気を漏れなく吹き出させることができる。
【００１８】
請求項４に記載の発明は、請求項１に記載の送風装置において、伸縮部は、内圧の上昇によって膨らみ基部から上方に向かって筒状に伸長する袋体によって形成されたことを特徴とする。
【００１９】
請求項４に記載した発明は、伸縮部の具体的な構成の一例を示したものであり、これによれば、伸縮部を基部から上方に向かって筒状に伸長させ、また、下方に収縮させることができる。特に、袋体を、ビニールシートや薄手の布地等、可撓性を有するシート部材によって形成することによって、より一層の軽量化を図ることができる。
【００２０】
請求項５に記載の発明は、請求項１〜４のいずれか１項に記載の送風装置において、吹出部は、伸縮部に上下に所定間隔をおいて開口する複数の孔部によって形成されたことを特徴とする。
【００２１】
請求項５に記載した発明は、吹出部の具体的な構成の一例を示したものであり、これによれば、伸縮部に上下に所定間隔をおいて開口形成された孔部から伸縮部内の空気を吹き出させることができる。従って、対象物に対して所定の高さ範囲に亘って同時に空気を吹き付けることができ、例えば、送風装置の側方位置に立つ利用者に対して、身体の長手方向に亘って同時に風を当てて、身体を効率的に冷却或いは乾燥させることができる。
【００２２】
請求項６に記載の発明は、請求項１〜４のいずれか１項に記載の送風装置において、吹出部は、伸縮部に上下に亘って開口する長孔部によって形成されたことを特徴とする。
【００２３】
請求項６に記載した発明は、吹出部の具体的な構成の一例を示したものであり、これによれば、伸縮部に上下に亘って開口する長孔部から伸縮部内の空気を吹き出させることができる。従って、対象物に対して所定の高さ範囲に亘って同時に空気を吹き付けることができ、例えば、送風装置の側方位置に立つ利用者に対して、身体の長手方向に亘って同時に風を当てて、身体を効率的に冷却或いは乾燥させることができる。
【００２４】
請求項７に記載の発明は、請求項１〜６のいずれか１項に記載の送風装置において、上下に筒状に延在して内部に送風機が取り付けられる筐体と、筐体の底部に設けられ、送風機の駆動によって基部内に発生する負圧を導入することにより床面に吸着され、筐体を床面に固定する固定手段とを有することを特徴とする。
【００２５】
請求項７に記載した発明によれば、送風機の駆動によって基部内に発生する負圧を利用して固定手段を床面に吸着させ、基部を床面に固定することができる。従って、送風機を駆動しているときは、基部を床面に固定することができ、吹出部から吹き出される空気の反力等によって装置が傾倒するのを防ぐことができる。そして、送風機の駆動停止により基部の床面への固定を解除することができ、装置を簡単に移動させることができる。
【００２６】
請求項９に記載の発明は、請求項１〜８のいずれか１項に記載の送風装置において、基部は、伸縮部に供給される空気を加熱する加熱手段を有することを特徴とする。
【００２７】
請求項９に記載した発明によれば、伸縮部に供給される空気を加熱手段によって加熱することができる。従って、吹出部から温風を吹き出させることができ、身体等に付着した水分を迅速に蒸発させて乾燥させる、いわゆるボディドライヤとして用いることができる。
【発明の効果】
【００２８】
本発明によると、送風機から送られた空気を充填させて内圧を上昇させることにより、伸縮部を基部から上方に向かって筒状に伸長させて、伸縮部の上下に亘って吹出部から空気を吹き出させることができる。従って、対象物に対して所定の高さ範囲に亘って同時に空気を吹き付けることができ、例えば、送風装置の側方位置に立つ利用者に対して、身体の長手方向に亘って同時に風を当てることができ、身体を効率的に冷却或いは乾燥させることができる。
【００２９】
そして、送風機の送風停止によって伸縮部を収縮させることができ、未使用時における装置全体の大きさを小型化でき、邪魔にならない。また、比較的狭い場所にも設置でき、簡単に移動させることができる。
【発明を実施するための最良の形態】
【００３０】
［第１実施の形態］
本発明の送風装置が適用されるボディドライヤ１は、風呂場の脱衣場に置かれて、入浴後の身体を冷却或いは乾燥させるのに用いられる。
【００３１】
図１は、伸縮部４が収縮された状態のボディドライヤ１の斜視図、図２は、伸縮部４が伸長された状態のボディドライヤ１を示す斜視図、図３は、ボディドライヤ１の断面図、図４は、ボディドライヤ１の底面図、図５は、ボディドライヤ１の下部を拡大して断面で示す図、図６は、伸縮部４の要部を拡大して断面で示す図、図７は、伸縮部４の平面図、図８は、ボディドライヤ１の機能ブロック図、図９は、ボディドライヤ１の動作を説明するタイムチャート、図１０は、ボディドライヤ１の具体的な使用状態の一例を示す図、図１１は、図１０の矢印Ａ方向から示す図である。
【００３２】
ボディドライヤ１は、図２に示すように、基部２と、基部２から上方に向かって伸長する伸縮部４と、伸縮部４に開口して伸縮部４内の空気を吹き出す吹出部５を有する。
【００３３】
基部２は、図３に示すように、一定の内径を有して上下に延在する円筒状の周壁部１１Ａと、周壁部１１Ａの下側を閉塞する平面状の底壁部１１Ｂとからなる有底筒状の筐体１１を有する。そして、図１及び図２に示すように、周壁部１１Ａの下部には、筐体１１内の送風室２Ａに空気を取り入れる取入口１４が開口して形成されている。
【００３４】
基部２の筐体１１は、図３に示すように、その内部が上下２枚の仕切壁１５、１６によって送風室２Ａ、加熱室２Ｂ、収容室２Ｃの３つの部屋に区画されている。２枚の仕切壁１５、１６は、いずれも筐体１１の内部で筐体１１の軸方向に直交する方向に亘って延在するように設けられており、送風室２Ａと加熱室２Ｂとの間、及び加熱室２Ｂと収容室２Ｃとの間を連通させ、送風機３から送られた空気を送風室２Ａから加熱室２Ｂを通過させて収容室２Ｃに流入させることができる、例えば網目状のフレーム部材等、空気の流れを阻害しない部材によって構成されている。
【００３５】
送風室２Ａには、送風機３が設けられている。送風機３は、電力の供給により回転軸が回転駆動される電動モータ２１と、伝動モータ２１の回転軸に一体に回転可能に取り付けられて、回転により回転軸の軸方向と同一の方向に向かって送風する軸流ファン２２とを有する。
【００３６】
電動モータ２１は、仕切壁部１５の下面に取り付けられており、電動モータ２１の回転軸が上下に延在して下方に向かって突出する姿勢状態で固定されている。軸流ファン２２は、電動モータ２１の回転軸の先端に取り付けられており、電動モータ２１の回転駆動により回転軸と一体に回転方向一方側に回転して空気を軸流ファン２２から上方に向かって送る構成を有する。そして、軸流ファン２２の回転によって、送風室２Ａの下部に負圧を発生させる。
【００３７】
送風機３は、フットペダルスイッチ７の操作によってＯＮ・ＯＦＦされる。フットペダルスイッチ７は、図１及び図２に示すように、筐体１１の下端から側方に突出する板状のフットペダル７ａを有しており、そのフットペダル７ａを足で踏む毎に、ＯＮとＯＦＦを交互に繰り返すようになっている。
【００３８】
そして、図３に示すように、加熱室２Ｂには、加熱部であるヒータ線６が設けられている。ヒータ線６は、仕切壁１５、１６の間で筐体１１の軸方向に直交する方向に亘って延在するように配設されている。ヒータ線６は、通電により発熱し、送風機３によって送風室２Ａから加熱室２Ｂに送られてきた空気を加熱する。ヒータ線６によって空気を加熱するか否かは、ヒータスイッチ８の操作によって選択される。ヒータスイッチ８は、図１及び図２に示すように、筐体１１の周壁部１１Ａに設けられており、送風と温風のいずれか一方を選択できるようになっている。
【００３９】
そして、図３に示すように、筐体１１の上端部には、収容室２Ｃの上部を上方に向かって開放するように円形の開口部１２が開口し、フランジ部１３が全周に亘って連続して形成されている。
【００４０】
フランジ部１３は、周壁部１１Ａの上端で筐体１１の径方向内側に向かって折曲され、更に下方に向かって折曲されて形成されており、下方に向かって開口するコ字状の断面形状を有する。そして、伸縮部４の後述する第１の筒状体３１を上下に移動自在に案内する。
【００４１】
伸縮部４は、送風機３から送られた空気が充填されて内圧が上昇することにより、基部２から上方に向かって筒状に伸長し、送風機３の送風停止による内圧の低下により収縮する構成を有する。伸縮部４は、伸長させた場合に基部２から人の背丈とほぼ等しい高さ位置まで伸長し、収縮により基部２内に完全に収容される大きさを有する。
【００４２】
伸縮部４は、それぞれ外径の異なる複数の筒状体３０が組み合わされてなる。複数の筒状体３０は、伸縮部４が収縮した収縮状態では順次径の小さな筒状体３０が径の大きい筒状体３０の内側に装填された状態となり、伸長状態ではそれぞれ内側の筒状体３０の下端部が直近外側の筒状体３０の上端部に係止され、最外側の筒状体３０の下端部が基部２の上端部に係止された状態となる。
【００４３】
複数の筒状体３０は、送風機３から空気が送られた場合に容易に上方に移動可能な、例えば合成樹脂製材料等の軽量な材料によって構成されており、図２に示すように、第１の筒状体３１〜第４の筒状体３４の４つの筒状体３０からなる。尚、筒状体３０の数は、４つに限定されるものではなく、適宜増加若しくは減少させてもよい。
【００４４】
第１の筒状体３１は、４つの筒状体３０の中で最も太径で最外側に配置される筒状体３０であり、上方への移動により筐体１１の開口部１２から上方に突出して下端部が基部２の上端部に係止され、下方への移動により収容室２Ｃ内に完全に収容される構成を有する。
【００４５】
第１の筒状体３１は、図３に示すように、一定径で軸方向に延在し筐体１１のフランジ部１３に外周面が対向して筐体１１の内方を上下に移動自在に案内される円筒状の胴部３１ａを有し、胴部３１ａの下端部に、下フランジ部３１ｂが全周に亘って連続して形成され、胴部３１ａの上端部に、上フランジ部３１ｃが全周に亘って連続して形成されている。
【００４６】
下フランジ部３１ｂは、胴部３１ａの下端部で径方向外側に向かって折曲され、更に上方に向かって折曲されて形成されており、上方に向かって開口するコ字状の断面形状を有する。下フランジ部３１ｂは、収容室２Ｃ内で筐体１１の内周面に全周に亘って対向し、筐体１１に対して第１の筒状体３１を上下に移動自在に案内する。そして、第１の筒状体３１が筐体１１に対して上方に移動した場合に、筐体１１のフランジ部１３に係止されてフランジ部１３と全周に亘って密着した状態となり、第１の筒状体３１を筐体１１に対する上限位置に位置決めすると共に、第１の筒状体３１と筐体１１との間から外部に空気が漏れないように気密的にシールする。
【００４７】
上フランジ部３１ｃは、胴部３１ａの上端部で径方向内側に向かって折曲され、更に下方に向かって折曲されて形成されており、下方に向かって開口するコ字状の断面形状を有する。上フランジ部３１ｃは、第２の筒状体３２の胴部３２ａの外周面に全周に亘って対向し、第１の筒状体３１に対して第２の筒状体３２を上下に移動自在に案内する。
【００４８】
第２の筒状体３２は、第１の筒状体３１よりも細径で、４つの筒状体３０の中で二番目に太径の筒状体３０であり、第１の筒状体３１の内方を上方に移動することにより、第１の筒状体３１の上端部から上方に突出し、下方への移動により、第１の筒状体３１の内方に完全に収容される構成を有する。
【００４９】
第２の筒状体３２は、一定径で軸方向に延在し第１の筒状体３１の上フランジ部３１ｃに外周面が対向して第１の筒状体３１の内方を上下に移動自在に案内される円筒状の胴部３２ａを有し、胴部３２ａの下端部に、下フランジ部３２ｂが全周に亘って連続して形成され、胴部３２ａの上端部に、上フランジ部３２ｃが全周に亘って連続して形成されている。
【００５０】
下フランジ部３２ｂは、胴部３２ａの下端部で径方向外側に向かって折曲され、更に上方に向かって折曲されて形成されており、上方に向かって開口するコ字状の断面形状を有する。下フランジ部３２ｂは、第１の筒状体３１の内方で胴部３１ａの内周面に全周に亘って対向し、第１の筒状体３１に対して第２の筒状体３２を上下に移動自在に案内する。そして、第２の筒状体３２が直近外側の第１の筒状体３１に対して上方に移動した場合に、第１の筒状体３１の上フランジ部３１ｃに係止されて上フランジ部３１ｃと全周に亘って密着した状態となり、第２の筒状体３２を第１の筒状体３１に対する上限位置に位置決めすると共に、第２の筒状体３２と第１の筒状体３１との間から外部に空気が漏れないように気密的にシールする。
【００５１】
上フランジ部３２ｃは、胴部３２ａの上端部で径方向内側に向かって折曲され、更に下方に向かって折曲されて形成されており、下方に向かって開口するコ字状の断面形状を有する。上フランジ部３２ｃは、第３の筒状体３３の胴部３３ａの外周面に全周に亘って対向し、第２の筒状体３２に対して第３の筒状体３３を上下に移動自在に案内する。
【００５２】
第３の筒状体３３は、第２の筒状体３２よりも細径で、４つの筒状体３０の中で三番目に太径の筒状体３０であり、第２の筒状体３２の内方を上方に移動することにより、第２の筒状体３２の上端部から上方に突出し、下方への移動により、第２の筒状体３２の内方に完全に収容される構成を有する。
【００５３】
第３の筒状体３３は、一定径で軸方向に延在し第２の筒状体３２の上フランジ部３２ｃに外周面が対向して第２の筒状体３２の内方を上下に移動自在に案内される円筒状の胴部３３ａを有し、胴部３３ａの下端部に、下フランジ部３３ｂが全周に亘って連続して形成され、胴部３３ａの上端部に、上フランジ部３３ｃが全周に亘って連続して形成されている。
【００５４】
下フランジ部３３ｂは、胴部３３ａの下端部で径方向外側に向かって折曲され、更に上方に向かって折曲されて形成されており、上方に向かって開口するコ字状の断面形状を有する。下フランジ部３３ｂは、第２の筒状体３２の内方で胴部３２ａの内周面に全周に亘って対向し、第２の筒状体３２に対して第３の筒状体３３を上下に移動自在に案内する。そして、第３の筒状体３３が直近外側の第２の筒状体３２に対して上方に移動した場合に、第２の筒状体３２の上フランジ部３２ｃに係止されて上フランジ部３２ｃと全周に亘って密着した状態となり、第３の筒状体３３を第２の筒状体３２に対する上限位置に位置決めすると共に、第３の筒状体３３と第２の筒状体３２との間から外部に空気が漏れないように気密的にシールする（例えば、図６を参照）。
【００５５】
上フランジ部３３ｃは、胴部３３ａの上端部で径方向内側に向かって折曲され、更に下方に向かって折曲されて形成されており、下方に向かって開口するコ字状の断面形状を有する。上フランジ部３３ｃは、第４の筒状体３４の胴部３４ａの外周面に全周に亘って対向し、第３の筒状体３３に対して第４の筒状体３４を上下に移動自在に案内する。
【００５６】
第４の筒状体３４は、第３の筒状体３３よりも細径で、４つの筒状体の中で最も細径の筒状体３０であり、伸長状態で伸縮部４の最上部に配置され、第３の筒状体３３の内方を上方に移動することにより第３の筒状体３３の上端部から上方に突出し、下方への移動により、第３の筒状体３３の内方に完全に収容される構成を有する。
【００５７】
第４の筒状体３４は、一定径で軸方向に延在し第３の筒状体３３の上フランジ部３３ｃに外周面が対向して第３の筒状体３３の内方を上下に移動自在に案内される円筒状の胴部３４ａを有し、胴部３４ａの下端部に、下フランジ部３４ｂが全周に亘って連続して形成されている。
【００５８】
下フランジ部３４ｂは、胴部３４ａの下端部で径方向外側に向かって折曲され、更に上方に向かって折曲されて形成されており、上方に向かって開口するコ字状の断面形状を有する。下フランジ部３４ｂは、第３の筒状体３３の内方で胴部３３ａの内周面に全周に亘って対向し、第３の筒状体３３に対して第４の筒状体３４を上下に移動自在に案内する。そして、第４の筒状体３４が直近外側の第３の筒状体３３に対して上方に移動した場合に、第３の筒状体３３の上フランジ部３３ｃに係止されて上フランジ部３３ｃと全周に亘って密着した状態となり、第４の筒状体３４を第３の筒状体３３に対する上限位置に位置決めすると共に、第４の筒状体３４と第３の筒状体３３との間から空気が漏れないように気密的にシールする（例えば、図６を参照）。胴部３４ａの上端部は、頭頂面３４ｂによって閉塞されており、筒状体３０の内方に充填された空気が上方に抜けないようになっている。
【００５９】
従って、送風機３の送風によって送風室２Ａから加熱室２Ｂを介して収容室２Ｃ内に空気が送られると、まず最初に、収容室２Ｃに収容されている第４の筒状体３４の内方に空気が充填されて内圧が上昇し、第４の筒状体３４が第３の筒状体３３に対して上方に移動される。そして、第４の筒状体３４の下フランジ部３４ｂが第３の筒状体３３の上フランジ部３３ｃに係止され、第４の筒状体３４が第３の筒状体３３から上方に突出した状態で連結される（例えば、図６を参照）。
【００６０】
第４の筒状体３４が第３の筒状体３３に対して上方に移動すると、第４の筒状体３４に加えて第３の筒状体３３の内方にも空気が充填されて内圧が上昇し、第３の筒状体３３が第２の筒状体３２に対して上方に移動する。そして、第３の筒状体３３の下フランジ部３３ｂが第２の筒状体３２の上フランジ部３２ｃに係止され、第３の筒状体３３が第２の筒状体３２から上方に突出した状態で連結される（例えば、図６を参照）。
【００６１】
第３の筒状体３３が第２の筒状体３２に対して上方に移動すると、第４の筒状体３４及び第３の筒状体３３に加えて第２の筒状体３２の内方にも空気が充填されて内圧が上昇し、第２の筒状体３２が第１の筒状体３１に対して上方に移動する。そして、第２の筒状体３２の下フランジ部３２ｂが第１の筒状体３１の上フランジ部３１ｃに係止され、第２の筒状体３２が第１の筒状体３１から上方に突出した状態で連結される。
【００６２】
第２の筒状体３２が第１の筒状体３１に対して上方に移動すると、第４の筒状体３４〜第２の筒状体３２に加えて第１の筒状体３１の内方にも空気が充填されて内圧が上昇し、第１の筒状体３１が筐体１１に対して上方に移動する。そして、第１の筒状体３１の下フランジ部３１ｂが筐体１１のフランジ部１３に係止され、第１の筒状体３１が基部２の筐体１１から上方に突出した状態で連結される。
【００６３】
そして、第１の筒状体３１〜第４の筒状体３４は、送風機３の送風停止によって第１の筒状体３１〜第４の筒状体３４の内方への空気の送りが停止されると、第１の筒状体３１〜第４の筒状体３４の内圧が低下し、自重によりそれぞれ下方に移動し、収容室２Ｃ内に完全に収容される。
【００６４】
吹出部５は、伸縮部４に上下に所定間隔をおいて開口する複数の孔部４１〜４８によって形成されている。複数の孔部４１〜４８は、第１の筒状体３１〜第４の筒状体３４の胴部３１ａ〜３４ａにそれぞれ上下２個ずつ開口するように形成されている。
【００６５】
各孔部４１〜４８は、略円形状を有しており、身体を乾燥させるのに適切な風量の空気を吹き出すことができる大きさに設定されている。各孔部４１〜４８の大きさは、本実施の形態では互いに同一の大きさに設定されているが、これに限定されるものではなく、例えば、伸縮部４の下側から上側に移行するに従って小さくする等、伸縮部４に設けられる位置に応じて大きさを相異させてもよい。
【００６６】
そして、基部２及び伸縮部４には、伸縮部４を伸長させた場合に、常に複数の孔部４１〜４８を互いに所定間隔を有して上下一列に整列させ、各孔部４１〜４８から伸縮部４の上下に亘って同時に空気を吹き出させることができるように、基部２に対する第１の筒状体３１〜第４の筒状体３４の相対的な回転移動を規制する回転規制手段３５が設けられている。
【００６７】
回転規制手段３５は、図２及び図７に示すように、胴部３１ａ〜３４ａの外周面に突設されて胴部３１ａ〜３４ａの上端部から下端部に亘ってレール状に延在する突条部３６と、筐体１１のフランジ部１３及び第１の筒状体３１〜第４の筒状体３４の上フランジ部３１ｃ〜３４ｃに凹設されて突条部３６が挿入される凹部３７を有する。突条部３６と凹部３７は、互いに組み合わされて、筐体１１と第１の筒状体３１、及び、互いに隣り合う筒状体３０どうしの相対的な回転移動を規制しつつ、上下に移動自在に案内し、そして、伸縮部４を伸長させた場合に複数の孔部４１〜４８を予め設定された方向に向かって上下一列に整列させる位置に設けられている。
【００６８】
上記構成を有するボディドライヤ１には、基部２を床面Ｇに固定する固定手段５０と、空気の吹出温度、風量、時間を制御する制御手段６０（図８を参照）が設けられている。
【００６９】
固定手段５０は、送風機３の駆動により基部２内に発生する負圧を導入して床面Ｇに吸着する吸盤５１を有する。吸盤５１は、図４に示すように、筐体１１の底壁部１１Ｂに設けられている。吸盤５１は、複数個、本実施の形態では、３個の吸盤５１が互いに広い間隔をおいて正三角形の頂点に相当する位置に配設されている。
【００７０】
吸盤５１は、図５に示すように、底壁部１１Ｂに穿設された穴部１１Ｂａに嵌挿される脚部５２と、脚部５２から平面状に広がる吸着面部５３とを有し、脚部５２と吸着面部５３を貫通して筐体１１の送風室２Ａに連通する連通孔５４が形成されている。吸盤５１は、送風機３の駆動により送風室２Ａ内に発生する負圧を連通孔５４を介して吸着面部５３に導き、床面Ｇに吸着し、所定の吸着力で基部２を床面Ｇに固定する。
【００７１】
制御手段６０は、例えば予めプログラムされたマイクロコンピュータ等によって構成されており、図８に示すように、入力側には、フットペダルスイッチ７やヒータスイッチ８、風量切換スイッチ９等の入力手段が接続され、出力側には、送風機３の電動モータ２１やヒータ線６等の出力手段が接続されている。また、制御部６０には、家庭用電源が接続されており、かかる電源からの電力が制御部６０を介して電動モータ２１やヒータ線６に供給される構成となっている。
【００７２】
制御部６０は、内部機能として、モータ制御手段６１と、温度制御手段６２を有する。モータ制御手段６１は、電動モータ２１の回転制御を行い、伸縮部４を伸縮させる速度や、吹出部５から吹き出される空気の流量・流速を制御し、温度制御手段６２は、ヒータ線６の発熱量を制御して空気の加熱温度を制御する処理を行う。
【００７３】
次に、上記構成を有するボディドライヤ１の動作について説明する。
【００７４】
ボディドライヤ１が床面Ｇに置かれた状態で、ボディドライヤ１の使用を開始すべく、フットペダル７ａが踏まれてフットペダルスイッチ７がＯＮ操作されると、制御部６０のモータ制御手段６１は、送風機３の電動モータ２１に電力を供給して、電動モータ２１を駆動し、軸流ファン２２を回転させる。
【００７５】
そして、軸流ファン２２の回転により、取入口１４から外部の空気が基部２の筐体１１内に取り入れられ、送風室２Ａから加熱室２Ｂを介して収容室２Ｃに送られる。
【００７６】
送風機３によって収容室２Ｃに送られた空気は、収容室２Ｃで伸縮部４の筒状体３０内に充填され、筒状体３０内の内圧の上昇により、第１の筒状体３１〜第４の筒状体３４を上方に移動させて軸方向に連結させ、伸縮部４を基部２から上方に向かって伸長する伸長状態とし、吹出部５から吹き出される。
【００７７】
モータ制御手段６１は、図９に示すように、フットペダルスイッチ７のＯＮ操作により、電動モータ２１の回転数を立ち上がり制御時間Ｔａの間に漸次増加させる立ち上がり制御を行い、収容室２Ｃに送り込まれる空気の量を漸次増加させて、伸縮部４をスムーズに伸長させる。
【００７８】
そして、風量切換スイッチ９により強風が選択されている場合には、電動モータ２１の回転数を予め設定された高速回転数に調整して吹出部５から吹き出される風量を増大させ、弱風が選択されている場合には、電動モータ２１の回転数を予め設定された低速回転数に調整して吹出部５から吹き出される風量を減少させる。
【００７９】
温度制御手段６２は、ヒータスイッチ８により温風が選択されている場合には、ヒータ線６に通電を行い、ヒータ線６を発熱させて、加熱室２Ｂを通過する空気を加熱し、吹出部５から温風を吹き出させ、ヒータスイッチ８により送風が選択されている場合には、ヒータ線６への通電を行わず、取入口１４から取り入れた空気をそのまま吹出部５から吹き出させる。
【００８０】
また、軸流ファン２２の回転によって送風室２Ａ内に発生した負圧を利用して固定手段５０の吸盤５１が床面Ｇに吸着され、基部２が床面Ｇに固定され、吹出部５から吹き出される空気の反動等によるボディドライヤ１の傾倒が防止される。
【００８１】
そして、ボディドライヤ１の使用を停止すべく、フットペダル７ａが踏まれてフットペダルスイッチ７がＯＦＦ操作されると、制御部６０のモータ制御手段６１は、電動モータ２１の回転を停止させて送風機３の送風を停止させる。これにより、筒状体３０内の内圧を低下させ、第１の筒状体３１〜第４の筒状体３４を自重により下方に移動させて、伸縮部４を収縮させ、筐体１１の収容部２Ｃに収容させる。
【００８２】
モータ制御手段６１は、図９に示すように、回転停止制御時間Ｔｃの間に電動モータ２１の回転数を漸次減少させる回転停止制御を行い、筒状体３０内の内圧を徐々に低下させ、伸縮部４をスムーズに収縮させる。そして、ヒータスイッチ８により温風が選択されている場合には、フットペダルスイッチ７がＯＦＦ操作されてから予め設定されたヒータ冷却時間Ｔｂが経過するまで電動モータ２１の回転を継続させ、ヒータ冷却時間Ｔｂが経過した後に、回転停止制御を行い、軸流ファン２２の回転を停止させる。
【００８３】
上記構成を有するボディドライヤ１によれば、基部２から上方に伸縮部４を伸長させて、吹出部５から伸縮部４の上下に亘って空気を吹き出すことができる。従って、対象物に対して所定の高さ範囲に亘って同時に空気を吹き付けることができる。
【００８４】
従って、例えば狭い場所であっても、図１０及び図１１に示すように、利用者がボディドライヤ１の側方位置に立つことによって、利用者の身体の長手方向に亘って同時に送風や温風を当てることができ、身体を効率的に冷却或いは乾燥させることができる。
【００８５】
そして、送風機３の送風停止により伸縮部４を収縮させて、図１に示すように、伸縮部４を基部２の筐体１１内に収容することができる。従って、未使用時における装置全体の大きさを小型化でき、邪魔にならない。そして、狭い場所にも設置でき、簡単に移動させることができる。
【００８６】
また、複数の筒状体３０のうち、伸長状態で内側に配置される筒状体３０の下端部が、外側に配置される筒状体３０の上端部に係止されて上端部と全周に亘って密着した状態となり、上端部との間から空気が漏れないように気密的にシールするので、伸縮部４を確実に伸長させることができ、また、吹出部５から伸縮部４内の空気を漏れなく吹き出させることができる。
【００８７】
また、軸流ファン２２の回転によって基部２の送風室２Ａ内に発生する負圧を利用して、固定手段５０の吸盤５１を所定の吸着力で床面Ｇに吸着させ、基部２を床面Ｇに固定することができる。従って、吹出部５から吹き出される空気の反動等によってボディドライヤ１が傾倒するのを有効に防ぐことができる。そして、軸流ファン２２の回転停止により、送風室２内の負圧が消滅するので、吸盤５１の吸着力を消滅させることができ、ボディドライヤ１を床面Ｇから上方に持ち上げて簡単に移動させることができる。
【００８８】
尚、上述の実施の形態では、伸長状態で上側に配置される筒状体を細径とし、下側に配置される筒状体を太径とした場合を例に説明したが、上側に配置される筒状体を太径とし、下側に配置される筒状体を小径としてもよい。
【００８９】
また、吹出部５が、複数の孔部４１〜４８によって構成される場合を例に説明したが、伸縮部４が伸長した状態で、第１の筒状体３１〜第４の筒状体３４に上下に亘って開口する長孔部（例えば、図１２を参照）により形成してもよい。
【００９０】
［第２実施の形態］
本実施の形態におけるボディドライヤ７１は、伸縮部４が内圧の上昇によって膨らみ、基部２から上方に向かって筒状に伸長する袋体７２によって形成され、吹出部５が伸縮部４に上下に亘って開口する長孔部７６によって形成されたことを特徴とする。
【００９１】
以下、本実施の形態におけるボディドライヤ７１の特徴点である伸縮部４及び吹出部５の構成について説明し、第１実施の形態と同様の構成要素には同一の符号を付することでその詳細な説明を省略する。
【００９２】
図１２は、伸縮部４が伸長された状態のボディドライヤ７１の斜視図である。ボディドライヤ７１の伸縮部４は、図１２に示すように、袋体７２によって形成されている。袋体７２は、例えばビニールシートや、薄手の布地等、可撓性を有するシート部材を袋状に形成することによって構成されている。
【００９３】
袋体７２は、内圧を上昇させて膨らませた場合に一定径で軸方向に延在する円筒状の胴部７３と、胴部７３の一方端部を閉塞する円形の頭頂部７４を有する。そして、胴部７３の他方端部が筐体１１の開口部１２に取り付けられて、胴部７３の内方と基部２の収容室２Ｃとが連通している。袋体７２は、萎んだ状態では折り畳まれて基部２の収容室２Ｃに収容される。そして、送風機３から送られた空気が充填されて内圧が上昇することによって膨らみ、基部２から上方に向かって筒状に伸長するように構成されている。
【００９４】
袋体７２の内方には、袋体７２を収容室２Ｃ内に収容する方向に付勢する付勢手段が設けられている。付勢手段は、例えばゴムひも等の伸縮率が大きい弾性ひも状部材によって構成されており、基端が基体２の収容室２Ｃ内に結合され、先端が袋体７２の頭頂部７４に結合されている。付勢手段は、袋体７２が内圧の上昇により膨らんだ場合には伸びて袋体７２の伸長を許容し、内圧の低下により萎んだ場合には縮んで袋体７２を基部２の収容室２Ｃ内に収容する。
【００９５】
長孔部７６は、袋体７２が内圧の上昇により膨らんで基部２から上方に伸長した状態で胴部７３の上下に亘って延在し、予め設定された方向に向かって開口するように胴部７３に形成されている。
【００９６】
従って、送風機３によって収容室２Ｃに送られた空気を袋体７２内に充填させて、袋体７２の内圧を上昇させて袋体７２を膨らませ、基部２の収容室２Ｃから上方に向かって伸長させることができ、長孔部７６から袋体７２内の空気を胴部７３の上下に亘って予め設定された方向に向かって吹き出させることができる。また、送風機３の送風停止により、袋体７２の内圧を低下させて袋体７２を萎ませ、付勢手段によって袋体７２を収容室２Ｃ内に収容することができる。
【００９７】
上記構成を有するボディドライヤ７１によれば、伸縮部４が袋体７２によって形成されているので、上述の第１実施の形態と比較して、複数の筒状体３０のような相互に上下に移動する可動部がなく、伸縮部４を確実に伸縮させることができる。また、伸縮部４を袋体７２で構成することによって、更なる軽量化を図ることができる。
【００９８】
尚、上述の第２実施の形態では、吹出部５が、袋体７２の上下に亘って延在する長孔部７６を有する場合を例に説明したが、長孔部７６の代わりに第１実施の形態における複数の孔部４１〜４８を設ける構成としてもよい。
【００９９】
また、付勢手段は、必須の構成要件ではなく、第２実施の形態において省略することもできる。例えば、袋体７２自体を、ゴムやストッキング等の伸縮性の極めて高い素材によって形成し、内圧の低下により萎んだ場合に縮んで基部２の収容室２Ｃ内に収容される構成とすることにより、付勢手段を省略でき、構造の単純化が図れる。
【０１００】
本発明は、上述の実施の形態に限定されるものではなく、本発明の趣旨を逸脱しない範囲で種々の変更が可能である。例えば、上述の第１及び第２実施の形態では、本発明の送風装置の一例として身体を冷却又は乾燥させるボディドライヤ１、７１の場合を説明したが、用途は身体に限定されるものではなく、他のものに用いてもよい。また、上述のヒータ線６、固定手段５０、制御手段６０は、本発明の必須の構成要素ではなく、適宜省略した構成としてもよい。
【０１０１】
また、上述の各実施の形態では、伸縮部４が円筒形状を有する場合を例に説明したが、かかる構成に限定されるものではなく、筒状であればよく、例えば断面が三角形や四角形等の多角形をなす筒形状であってもよい。
【図面の簡単な説明】
【０１０２】
【図１】伸縮部が収縮された状態のボディドライヤの斜視図である。
【図２】伸縮部が伸長された状態のボディドライヤの斜視図である。
【図３】ボディドライヤの断面図である。
【図４】ボディドライヤの底面図である。
【図５】ボディドライヤの下部を拡大して断面で示す図である。
【図６】伸縮部の要部を拡大して断面で示す図である。
【図７】伸縮部の平面図である。
【図８】ボディドライヤの機能ブロック図である。
【図９】ボディドライヤの動作を説明するタイムチャートである。
【図１０】ボディドライヤの具体的な使用状態の一例を示す図である。
【図１１】図１０の矢印Ａ方向から示す図である。
【図１２】伸縮部が伸長された状態のボディドライヤの斜視図である。
【符号の説明】
【０１０３】
１、７１  ボディドライヤ（送風装置）
２  基部
３  送風機
４  伸縮部
５  吹出部
１１  筐体
２１  電動モータ
３０  筒状体
４１〜４８  孔部
７２  袋体
７６  長孔部
【図１】
0005047759.tif 000002
【図２】
0005047759.tif 000003
【図３】
0005047759.tif 000004
【図４】
0005047759.tif 000005
【図５】
0005047759.tif 000006
【図６】
0005047759.tif 000007
【図７】
0005047759.tif 000008
【図８】
0005047759.tif 000009
【図９】
0005047759.tif 000010
【図１０】
0005047759.tif 000011
【図１１】
0005047759.tif 000012
【図１２】
0005047759.tif 000013